(57)【要約】【課題】背面基板側の着色部を表示する場合において表示速度が遅くなるのを抑えることができる画像表示装置を提供する。【解決手段】画像表示媒体１２は表示側電極１８が形成された表示基板１４と背面基板１６との間に黒色粒子２４及び白色粒子２６が封入された構成である。背面基板１６上には背面側電極２０Ｒ、２０Ｇ、２０Ｂが形成され、その上に赤、緑、青の着色部２２Ｒ、２２Ｇ、２２Ｂが形成されている。着色部２２Ｇ、２２Ｂにより緑＋青を表示する場合、電圧印加装置１３は、表示側電極１８及び背面側電極２２Ｇ、２２Ｒに第１の交番電圧４０を、背面側電極２２Ｂに第１の交番電圧と同一周波数で且つ位相が１８０°異なる第２の交番電圧４２を印加し、区画３６Ｂ内の粒子を区画３６Ｇへ移動させる。次に背面側電極２２Ｇに第２の交番電圧４２を印加し、区画３６Ｇ内の粒子を区画３６Ｒへ移動させる。【選択図】        図４
2004184615.tif 000002
【特許請求の範囲】
【請求項１】
少なくとも透光性を有する表示基板と、前記表示基板と対向し、隣接しない着色部を含む少なくとも３種類以上の複数の着色部を備えた背面基板と、前記表示基板と前記背面基板との基板間に印加された電圧により形成された電界により前記基板間を移動可能に封入されると共に、前記背面基板の色と異なる少なくとも１種類の粒子群と、を備えた画像表示媒体と、
前記基板間を前記着色部に対応して複数の区画に区画化したうちの隣接する複数の隣接区画の着色部による色を表示する場合、前記複数の隣接区画のうち第１の隣接区画の粒子群を前記表示基板を含む面と平行方向へ移動させるための電圧を前記第１の隣接区画の基板間に印加した後、前記第２の隣接区画の粒子群を前記平行方向へ移動させるための電圧を前記第１の隣接区画及び前記第２の隣接区画の基板間に印加する電圧印加手段と、
を備えた画像表示装置。
【請求項２】
少なくとも透光性を有する表示基板と、前記表示基板と対向し、少なくとも３種類以上の互いに隣接する複数の着色部を備えた背面基板と、前記表示基板と前記背面基板との基板間に印加された電圧により形成された電界により前記基板間を移動可能に封入されると共に、前記背面基板の色と異なる少なくとも１種類の粒子群と、を備えた画像表示媒体と、
前記基板間を前記着色部に対応して複数の区画に区画化したうちの隣接する複数の隣接区画の着色部による色を表示する場合、前記複数の隣接区画の粒子群を前記表示基板を含む面と平行方向へ移動させるための電圧を前記複数の隣接区画の基板間に印加する電圧印加手段と、
を備えた画像表示装置。
【請求項３】
前記電圧印加手段は、前記粒子群を前記平行方向と直交する方向に移動させる場合には、前記粒子群を移動させるべき位置の基板間に直流電界又は第１の所定サイクル数の交番電界を形成するための電圧を印加し、前記粒子群を前記平行方向に移動させる場合には、前記粒子群を移動させるべき位置の基板間に前記第１の所定サイクル数よりも多い第２の所定サイクル数の交番電界を形成するための電圧を印加することを特徴とする請求項１又は請求項２記載の画像表示装置。
【発明の詳細な説明】
【０００１】
【発明の属する技術分野】
本発明は、反射型の画像表示装置に係り、特に、電界によって着色粒子を駆動することにより繰り返し書き換えが可能な画像表示媒体を用いた画像表示装置に関する。
【０００２】
【従来の技術】
従来、所謂電子ペーパーと言われる繰り返し書き換えが可能なメモリ性のある画像表示技術として、着色粒子の回転（Ｔｗｉｓｔｉｎｇ  Ｂａｌｌ  Ｄｉｓｐｌａｙ）、電気泳動、サーマルリライタブル、メモリ性を有する液晶、エレクトロクロミー等の技術が知られている。
【０００３】
このような技術の中で、粒子（トナー）を用いて表示する画像表示媒体として、異なる極性に帯電された黒色粒子と白色粒子とが対向するシート間に封入された画像表示媒体が提案されている。このような画像表示媒体は、シート間に電界を形成させて粒子を移動させることにより、黒色粒子と白色粒子とのコントラストとして画像を表示することができる。また、このような着色粒子を用いた画像表示媒体を用いた画像表示装置でカラー画像を表示するために、画像表示媒体の表示基板側にカラーフィルタを設ける構成が一般的に知られているが、白色度及び白黒画像の解像度が低下してしまう、という問題があった。
【０００４】
このため、本発明者らは、特許文献１及び特願２００２−２５０２１４号等において、背面基板側に粒子の色と異なる色の着色部を備え、着色粒子を所定の場所に集めて背面基板を露呈させることにより、着色粒子の色による表示に加えて、背面基板の着色部の色による表示を行う技術を提案した。
【０００５】
図６（Ａ）には、このような画像表示装置１００の一例を示した。図６（Ａ）に示すように、画像表示装置１００は、画像表示媒体１０２及び電圧印加装置１０４で構成されている。なお、図６（Ａ）、（Ｂ）では、説明の簡単のため、画像表示媒体の一部として１つのセルについてのみ示した。画像表示媒体１０２は、表示基板１０６と背面基板１０８との間に帯電特性が異なる黒色粒子１１０及び白色粒子１１２が封入され、基板間は仕切部材１１４で仕切られた構成となっている。表示基板１０６にはライン状の複数の表示側電極１１６が形成され、背面基板１０８には、ライン状の複数の背面側電極１１８Ｒ、１１８Ｇ、１１８Ｂが、画像表示媒体１０２を平面視した場合に表示側電極１１６と直交する方向に配置されている。すなわち、画像表示媒体１０２の電極の構成は所謂パッシブマトリクス（単純マトリクス）構造となっている。また、背面側電極１１８Ｒ，１１８Ｇ，１１８Ｂ上にはそれぞれ赤、緑、青に着色された着色部１２０Ｒ、１２０Ｇ、１２０Ｂが形成されている。
【０００６】
電圧印加装置１０４は、黒色粒子１１０及び白色粒子１１２による表示を行う場合には、粒子を移動させるべき位置の表示側電極１１６と背面側電極１１８Ｒ、１１８Ｇ、１１８Ｂとの間に例えば所定の直流電圧を印加することにより黒又は白の表示を行う。一方、例えばＲ（赤）及びＢ（青）を表示したい場合には、図６（Ｂ）に示すように、表示側電極１１６に多サイクルの交番電圧１２２を印加すると共に背面側電極１１８Ｒ、１１８Ｂに交番電圧１２２と同一周波数で且つ位相が１８０°異なる交番電圧１２４を印加する。また、これと同時に、着色部１２０Ｇ上に電界が形成されないように、背面側電極１２０Ｇに交番電圧１２２を印加する。
【０００７】
これにより、表示側電極１１６と背面側電極１１８Ｒ、１１８Ｂとの間に、粒子を基板面と平行な方向に移動させるための交番電界が形成され、図６（Ｂ）に示すように、着色部１２０Ｒ、１２０Ｂ上の粒子が着色部１２０Ｇ上に集められ、Ｒ及びＢが表示される。
【０００８】
また、図７（Ａ）に示すように白表示の状態からＧ（緑）＋Ｂ（青）の表示を行う場合、すなわち隣接する着色部１２０Ｇ、１２０Ｂによる色を表示する場合には、図７（Ｂ）に示すように、表示側電極１１６に交番電圧１２２を印加すると共に背面側電極１１８Ｇ、１１８Ｂに交番電圧１２４を印加する。また、これと同時に、着色部１２０Ｒ上に電界が形成されないように、背面側電極１１８Ｒに交番電圧１２２を印加する。
【０００９】
これにより、表示側電極１１６と背面側電極１１８Ｇ、１１８Ｂとの間に、粒子を基板面と平行な方向に移動させるための交番電界が形成され、図７（Ｂ）に示すように、着色部１２０Ｇ、１２０Ｂ上の粒子が着色部１２０Ｇ上に集められ、Ｒ及びＢが表示される。
【００１０】
【特許文献１】
特開２００２−１６９１９１号公報
【００１１】
【発明が解決しようとする課題】
しかしながら、上記従来技術では、隣接する着色部１２０Ｇ、１２０Ｂによる色を表示する場合には、着色部１２０Ｒ、１２０Ｂ上の粒子が着色部１２０Ｒ上に移動するのに時間がかかり表示速度が遅くなる、という問題があった。これは、例えば着色部１２０Ｂ上の粒子が着色部１２０Ｇ上へ移動すると、着色部１２０Ｇ上にも交番電界が形成されているため、着色部１２０Ｇ上の粒子と衝突して着色部１２０Ｂ上へ戻されてしまう粒子が存在するためである。
【００１２】
本発明は、上記問題点に鑑みて成されたものであり、背面基板側の着色部を表示する場合において表示速度が遅くなるのを抑えることができる画像表示装置を提供することを目的とする。
【００１３】
【課題を解決するための手段】
上記課題を解決するため請求項１記載の発明は、少なくとも透光性を有する表示基板と、前記表示基板と対向し、隣接しない着色部を含む少なくとも３種類以上の複数の着色部を備えた背面基板と、前記表示基板と前記背面基板との基板間に印加された電圧により形成された電界により前記基板間を移動可能に封入されると共に、前記背面基板の色と異なる少なくとも１種類の粒子群と、を備えた画像表示媒体と、前記基板間を前記着色部に対応して複数の区画に区画化したうちの隣接する複数の隣接区画の着色部による色を表示する場合、前記複数の隣接区画のうち第１の隣接区画の粒子群を前記表示基板を含む面と平行方向へ移動させるための電圧を前記第１の隣接区画の基板間に印加した後、前記第２の隣接区画の粒子群を前記平行方向へ移動させるための電圧を前記第１の隣接区画及び前記第２の隣接区画の基板間に印加する電圧印加手段と、を備えたことを特徴とする。
【００１４】
この発明によれば、画像表示媒体は、対向して配置された表示基板と背面基板との基板間に、少なくとも１種類の粒子群が封入されて構成されている。粒子群は、基板間に印加された電圧により形成された電界により基板間を移動可能となっている。なお、表示基板は、透光性を有しており、例えば透明、半透明、有色透明の何れかであるガラス基板や絶縁性の樹脂等の誘電体等で構成することができる。また、粒子は絶縁性の粒子や導電性の粒子を用いることができる。
【００１５】
背面基板は、隣接しない着色部を含む少なくとも３種類以上の複数の着色部を備えている。着色部の色を表示する場合には、基板間を着色部に対応して区画化した場合のその着色部の区画に存在する粒子を他の区画へ移動させてその着色部を露呈させることにより、表示基板側からその色を視認することが可能となる。
【００１６】
粒子群が１種類の場合には、粒子と背面基板の色とのコントラストで画像を表示することができる。色及び帯電特性が異なる複数種類の粒子群を用いた場合には、異なる種類の粒子群のコントラスト又は粒子群と背面基板側の着色部とのコントラストにより画像を表示することができる。
【００１７】
電圧印加手段は、複数の区画のうち隣接する複数の隣接区画の着色部による色を表示する場合、まず複数の隣接区画のうち第１の隣接区画の粒子群を表示基板を含む面と平行方向へ移動させるための電圧を第１の隣接区画の基板間に印加する。これにより、第１の隣接区画の粒子群はこれに隣接する第２の隣接区画へ移動する。その後、電圧印加手段は、第２の隣接区画の粒子群を平行方向へ移動させるための電圧を第１の隣接区画及び第２の隣接区画の基板間に印加する。これにより、第２の隣接区画の粒子群がこれに隣接する区画へ移動する。このとき、第１の隣接区画の基板間に対しても第２の隣接区画の基板間に印加される電圧と同様の電圧が印加されるため、第２の隣接区画の粒子群が第１の隣接区画へ戻ることはない。すなわち、第２の隣接区画の粒子群は、これに隣接する第１の隣接区画と異なる他の区画へ移動する。
【００１８】
なお、例えば３つの着色部による色を表示する場合には、上記と同様にして、さらに第２の隣接区画に隣接する区画の粒子群がその区画に隣接する他の区画に移動するように、第１の隣接区画、第２の隣接区画、第２の隣接区画に隣接する区画の基板間に粒子群が平行方向へ移動するための電圧を印加すればよく、４つの着色部による色を表示する場合についても同様である。
【００１９】
このように、本発明では、従来のように最初から第１の隣接区画及び第２の隣接区画に粒子群を平行移動させるための電圧を同時に印加して両方の区画の粒子群を他の区画へ同時に移動させようとするのではなく、一旦第１の隣接区画の粒子群を第２の隣接区画へ移動させた後に、第２の隣接区画の粒子群を他の区画へ移動させる。すなわち、粒子群が１つの区画ずつ段階的に移動するように、基板間に粒子を平行方向へ移動させるための電圧を段階的に印加する。これにより、隣接する区画の複数の着色部による色を表示する場合でも、表示速度が遅くなるのを抑えることができる。
【００２０】
なお、電圧を印加するための表示基板側及び背面基板側に設けられる表示側電極及び背面側電極は、所謂パッシブマトリクス構造としてもよいし、所謂アクティブマトリクス構造としてもよい。また、表示側電極及び背面側電極は、表示基板及び背面基板の対向面に各々設けてもよいし、表示基板及び背面基板の対向面と反対側の面、すなわち外側の面に設けてもよいし、基板の中に設けてもよいし、表示基板及び背面基板の外側に別個独立に設けてもよい。
【００２１】
請求項２記載の発明は、少なくとも透光性を有する表示基板と、前記表示基板と対向し、少なくとも３種類以上の互いに隣接する複数の着色部を備えた背面基板と、前記表示基板と前記背面基板との基板間に印加された電圧により形成された電界により前記基板間を移動可能に封入されると共に、前記背面基板の色と異なる少なくとも１種類の粒子群と、を備えた画像表示媒体と、前記基板間を前記着色部に対応して複数の区画に区画化したうちの隣接する複数の隣接区画の着色部による色を表示する場合、前記複数の隣接区画の粒子群を前記表示基板を含む面と平行方向へ移動させるための電圧を前記複数の隣接区画の基板間に印加する電圧印加手段と、を備えたことを特徴とする。
【００２２】
この発明によれば、背面基板は、少なくとも３種類以上の互いに隣接する複数の着色部を備えている。そして、電圧印加手段は、複数の隣接区画の着色部による色を表示する場合、複数の隣接区画の粒子群を前記平行方向へ移動させるための電圧を複数の隣接区画の基板間に印加する。これにより、複数の隣接区画の粒子群は、これらの区画と異なる他の区画へ移動する。このように、複数の着色部が互いに隣接するように、すなわち隣接しない着色部が存在しないようにそれぞれの着色部を配置することにより、粒子群の移動距離を短くすることができる。従って、背面基板側の複数の着色部による色を表示する場合でも、表示速度が遅くなるのを抑えることができる。
【００２３】
請求項３記載の発明は、前記電圧印加手段は、前記粒子群を前記平行方向と直交する方向に移動させる場合には、前記粒子群を移動させるべき位置の基板間に直流電界又は第１の所定サイクル数の交番電界を形成するための電圧を印加し、前記粒子群を前記平行方向に移動させる場合には、前記粒子群を移動させるべき位置の基板間に前記第１の所定サイクル数よりも多い第２の所定サイクル数の交番電界を形成するための電圧を印加することを特徴とする。
【００２４】
この発明によれば、粒子群の前記平行方向と直交する方向、すなわち基板間の方向に移動させる場合には、粒子群を移動させたい位置の基板間に、直流電界又は第１の所定サイクル数（数サイクル）の交番電界が形成されるように直流電圧又は交番電圧を印加する。これにより、粒子が表示基板側又は背面基板側に移動する。また、背面基板の色を表示基板側に表示（露出）させたい場合には、表示させたい着色部の基板間に、粒子群を前記平行方向に移動させるための第１の所定サイクル数よりも多い第２の所定サイクル数（多サイクル）の交番電界が形成されるように交番電圧を印加する。これにより、その着色部の区画内の粒子群がその他の区画に移動して着色部が露出され、その色が表示基板側から視認可能となる。
【００２５】
【発明の実施の形態】
以下、図面を参照して本発明の実施の形態について詳細に説明する。
【００２６】
図２には、本実施の形態に係る画像表示媒体１２の断面図を示した。画像表示媒体１２は、図２に示すように、画像表示側である表示基板１４と、当該表示基板１４と対向し所定間隙を隔てて配置される背面基板１６とを備えている。
【００２７】
表示基板１４は、例えば可視光透過性を有する基板にライン状の複数の表示側電極１８が形成された構成であり、所謂ＩＴＯ電極が形成されたガラス基板等を用いて構成することができる。
【００２８】
背面基板１６は、樹脂などで構成された基板上に、ライン状の背面側電極２０Ｒ、２０Ｇ、２０Ｂが複数組形成され、その背面側電極２０Ｒ、２０Ｇ、２０Ｂ（以下、背面側電極を代表する場合又は背面側電極を総称する場合、背面側電極２０という）上に一例として赤（Ｒ）、緑（Ｇ）、青（Ｂ）に各々着色された着色部２２Ｒ、２２Ｇ、２２Ｂが各々形成された構成となっている。背面側電極２０Ｒ、２０Ｇ、２０Ｂと着色部２２Ｒ、２２Ｇ、２２Ｂとは略同一形状となっている。
【００２９】
表示側電極１８と背面側電極２０とは、図３（Ａ）、（Ｂ）に示したように、平面視したときに直交するように配置されている。
【００３０】
なお、着色部２２Ｒ、２２Ｇ、２２Ｂを独立して設けずに、背面側電極２０Ｒ、２０Ｇ、２０Ｂを着色し、着色部２２Ｒ、２２Ｇ、２２Ｂを兼用するようにしてもよい。
【００３１】
また、表示側電極１８と背面側電極２０は、表示基板１４及び背面基板１６の対向する側の面と反対側の面に形成されていてもよく、表示基板１４及び背面基板１６の外側に別個独立に配置されていてもよい。
【００３２】
表示基板１４と背面基板１６との間には、互いに色及び帯電特性の異なる粒子群であって、一例として正に帯電した黒色粒子２４と負に帯電した白色粒子２６とが封入されている。
【００３３】
また、表示基板１４と背面基板１６との間には例えばシリコンシート等で構成された間隙部材２８が設けられ、これにより表示基板１４と背面基板１６との間が一定間隔に保たれると共に、画像表示媒体１２の基板間が複数のセル３０に分割される。なお、図３（Ａ）、（Ｂ）に示す点線で囲まれた領域が１つのセル３０に相当する。
【００３４】
なお、本実施の形態では、ライン状の複数の表示側電極とライン状の複数の背面側電極とを画像表示媒体を平面視した場合に直交するように配置し、順番に背面側電極に電圧を印加しながら、これと同期してそのライン上で粒子を移動させるべき画素の表示側電極全てに電圧を印加することにより、１ライン毎に画像を形成するパッシブマトリクス（単純マトリクス）方式を採用した場合について説明するが、これに限らず、画素毎に独立して電圧を印加する所謂アクティブマトリクス方式を用いてもよい。この場合、表示側電極１８は１つの着色部毎に独立した孤立電極とし、背面側電極２０は全面同一のベタ電極とすればよい。または、表示側電極１８は全面同一のベタ電極で、背面側電極２０は各着色部毎に独立した孤立電極としてもよい。
【００３５】
図１（Ｂ）には、本実施の形態に係る画像表示装置１０を示した。図１（Ａ）は、着色部２２Ｒ、２２Ｇ、２２Ｂを平面視した図を示した。なお、図１（Ｂ）では、画像表示媒体１２については説明の簡単のため、１つのセル３０について説明する。
【００３６】
図１（Ｂ）に示すように、画像表示装置１０は、画像表示媒体１２及び電圧印加装置１３で構成されている。
【００３７】
電圧印加装置１３は、導電性の配線３２を介して表示側電極１８と接続されると共に、導電性の配線３４を介して背面側電極２０と接続されている。１つのセル３０には、１つの表示側電極１８と３つの背面側電極２０Ｒ、２０Ｇ、２０Ｂが存在する。従って、図１（Ｂ）に示すように、表示基板１４と背面基板１６との基板間は、対向する表示側電極１８と背面側電極２０Ｒ、２０Ｇ、２０Ｂとにより複数の区画３６Ｒ，３６Ｇ，３６Ｂに区画化され、それぞれの区画に独立して電界を形成することができる。
【００３８】
電圧印加装置１３は、白色粒子２６を表示基板１４側へ移動させる場合には、粒子が移動開始する閾値電圧以上の正の直流電圧又は数サイクル（第１の所定サイクル数）の交番電圧を表示側電極１８に印加する。なお、数サイクル（第１の所定サイクル数）の交番電圧を印加する場合には、最後のパルス電圧が正となるようにする。これにより、基板間に形成された電界によるクーロン力により、表示基板１４側の正に帯電した黒色粒子２４は背面基板１６側へ移動し、背面基板１６側の負に帯電した白色粒子２６は表示基板１４側へ移動する。
【００３９】
一方、黒色粒子２４を表示基板１４側へ移動させる場合には、電圧印加装置１３は、粒子が移動開始する閾値電圧以下の負の電圧（絶対値が閾値電圧以上の電圧）を印加する。なお、数サイクル（第１の所定サイクル数）の交番電圧を印加する場合には、最後のパルス電圧が負となるようにする。これにより、基板間に形成された電界によるクーロン力により、表示基板１４側の負に帯電した白色粒子２６は背面基板１６側へ移動し、背面基板１６側の正に帯電した黒色粒子２４は表示基板１４側へ移動する。
【００４０】
また、電圧印加装置１３は、着色部の色、例えば緑を表示する場合は、図１（Ｂ）に示す中央の背面側電極２０Ｇとこれと対向する表示側電極１８との間に第１の所定サイクル数よりも多い多サイクル（第２の所定サイクル数）の交番電圧を印加する。これにより、区画３６Ｇ内の黒色粒子２４及び白色粒子２６が基板間を往復運動するが、この際に、区画３６Ｇ内の黒色粒子２４及び白色粒子２６が隣接する区画３６Ｒ又は区画３６Ｂ側へ広がって移動する。これにより、区画３６Ｇの粒子密度が低下して着色部２２Ｇが露呈し、表示基板１４側から緑色を視認可能な状態となる。
【００４１】
これは、基板間に形成される交番電界によって黒色粒子２４及び白色粒子２６が基板間を往復移動させられる際に、粒子同士の衝突や、隣接する背面側電極間に形成されるエッジ電界、すなわち基板と平行方向の電界成分などによって、粒子が基板と平行な方向に拡散移動するためである。
【００４２】
同様に、赤を表示させたい場合には、図１（Ｂ）の左側の背面側電極２０Ｒと表示側電極１８との間に多サイクルの交番電圧を印加すればよく、青を表示させたい場合には、図１（Ｂ）の右側の背面側電極２０Ｂと表示側電極１８との間に多サイクルの交番電圧を印加すればよい。
【００４３】
従って、画像表示媒体１２では、各々の画素について黒、白、緑、赤、青又はこれらを組み合わせた色を表示することができる。
【００４４】
なお、黒色粒子２４及び白色粒子２６は本発明の粒子群に相当し、電圧印加装置１３は本発明の電圧印加手段に相当する。
【００４５】
次に、隣接する２つの着色部による色を表示する場合について説明する。なお、以下では、Ｇ（緑）とＢ（青）、すなわちシアンを表示する場合について説明する。
【００４６】
図４（Ａ）に示すような白表示の状態からシアンを表示する場合には、電圧印加装置１３は、区画３６Ｂ（第１の隣接区画）内の黒色粒子２４及び白色粒子２６を隣接する区画３６Ｇ（第２の隣接区画）へ移動させるための交番電界が区画３６Ｂの基板間に形成されるように、図４（Ｂ）に示すように、表示側電極１８に多サイクルの第１の交番電圧４０を印加すると共に、背面側電極２２Ｂに第１の交番電圧と同一周波数で且つ位相が１８０°異なる第２の交番電圧４２を印加する。また、これと同時に、背面側電極２２Ｇ、２２Ｒに第１の交番電圧４０を印加する。
【００４７】
これにより、表示側電極１８と背面側電極２２Ｂとの間に粒子を基板面と平行方向へ移動させるための多サイクルの交番電圧が印加されると共に、表示側電極１８と背面側電極２２Ｇ、２２Ｒとの間は同電位となる。従って、区画３６Ｂ内の黒色粒子２４及び白色粒子２６は、隣接する区画３６Ｇへ移動し、区画３６Ｇ、３６Ｒ内の黒色粒子２４及び白色粒子２６は移動せずその区画に留まったままとなる。
【００４８】
次に、図４（Ｃ）に示すように、表示側電極１８に第１の交番電圧４０を印加すると共に、背面側電極２２Ｂ、２２Ｇに第２の交番電圧４２を印加する。また、これと同時に、背面側電極２２Ｒに第１の交番電圧４０を印加する。
【００４９】
これにより、表示側電極１８と背面側電極２２Ｇ、２２Ｂとの間に粒子を基板面と平行方向へ移動させるための多サイクルの交番電圧が印加されると共に、表示側電極１８と背面側電極２２Ｒとの間は同電位となる。従って、区画３６Ｇ内の黒色粒子２４及び白色粒子２６は、隣接する区画３６Ｒへ移動し、区画３６Ｒ内の黒色粒子２４及び白色粒子２６は移動せずその区画に留まったままとなる。これにより、着色部２２Ｇ、２２Ｂが露呈し、表示基板１４側からシアンを視認することができる。なお、表示側電極１８と背面側電極２２Ｂとの間にも粒子を基板面と平行方向へ移動させるための交番電圧が印加されているため、区画３６Ｇ内の黒色粒子２４及び白色粒子２６は、電界が発生していない区画３６Ｒにのみ移動し、区画３６Ｂ内へは移動しない。
【００５０】
このように、隣接する着色部２２Ｂ、２２Ｇの色を表示する場合、粒子を平行移動させるための電圧を区画３６Ｂ、３６Ｇに同時に印加して区画３６Ｂ、３６Ｇ内の粒子を区画３６Ｒ内へ同時に移動させるのではなく、一旦区画３６Ｂ内の粒子群を区画３６Ｇへ移動させた後に、区画３６Ｇ内の粒子群を区画３６Ｒへ移動させるようにする。すなわち、粒子が段階的に隣接する区画へ移動するように、粒子を平行方向へ移動させるための電圧を隣接する区画に段階的に印加する。これにより、隣接する区画の複数の着色部による色を表示する場合でも、表示速度が遅くなるのを抑えることができる。
【００５１】
なお、本実施の形態では、着色部２２Ｒと着色部２２Ｂのように、隣接しない着色部を含む場合について説明したが、図５に示すように、着色部２２Ｒ、２２Ｇ、２２Ｂが互いに隣接するようにしてもよい。この場合、例えば背面側電極２０Ｒ、２０Ｇ、２０Ｂを着色部２２Ｒ、２２Ｇ、２２Ｂと略同一形状の孤立電極とし、表示側電極１８をベタ電極として所謂アクティブマトリクス構造とする。そして、例えば着色部２２Ｒ、２２Ｂによる色を表示する場合には、電圧印加装置１３は、表示側電極１８に第１の交番電圧４０を、背面側電極２２Ｒ、２２Ｂに第２の交番電圧４２を印加すると共に、背面側電極２２Ｇに第１の交番電圧４０を印加する。これにより、区画３６Ｒ、区画３６Ｂ内の黒色粒子２４及び白色粒子２６が電界が形成されていない区画３６Ｇ内へ移動し、着色部２２Ｒ、２２Ｂが露呈し、Ｒ、Ｂを表示基板側から視認することができる。
【００５２】
このように、複数の着色部が互いに隣接するように、すなわち隣接しない着色部が存在しないようにそれぞれの着色部を配置することにより、粒子群の移動距離を短くすることができる。従って、背面基板側の複数の着色部による色を表示する場合でも、表示速度が遅くなるのを抑えることができる。
【００５３】
なお、本実施の形態では、黒色及び白色の粒子を用いた場合について説明したが、これに限らず、他の色の粒子を用いてもよい。また、着色部の色は赤、緑、青の３色に限らず、粒子の色と異なる色であれば他の色でもよく、１色又は２色あるいは４色以上でもよい。
【００５４】
【発明の効果】
本発明によれば、背面基板側の着色部を表示する場合において表示速度が遅くなるのを抑えることができる、という効果を有する。
【図面の簡単な説明】
【図１】（Ａ）は着色部の平面図であり、（Ｂ）は画像表示装置の概略構成図である。
【図２】画像表示媒体の断面図である。
【図３】（Ａ）は表示基板の平面図、（Ｂ）は背面基板の平面図である。
【図４】（Ａ）は電圧印加前の画像表示媒体の断面図、（Ｂ）は電圧印加後の画像表示媒体の断面図、（Ｃ）は電圧印加後の画像表示媒体の断面図である。
【図５】着色部の配置を示す平面図である。
【図６】（Ａ）は電圧印加前の画像表示媒体の断面図、（Ｂ）は電圧印加後の画像表示媒体の断面図である。
【図７】（Ａ）は電圧印加前の画像表示媒体の断面図、（Ｂ）は電圧印加後の画像表示媒体の断面図である。
【符号の説明】
１０    画像表示装置
１２    画像表示媒体
１３    電圧印加装置
１４    表示基板
１６    背面基板
１８    表示側電極
２０Ｒ、２０Ｇ、２０Ｂ    背面側電極
２２Ｒ、２２Ｇ、２２Ｂ    着色部
２４    黒色粒子
２６    白色粒子
２８    間隙部材
３０    セル
３２、３４    配線
３６Ｂ、３６Ｇ、３６Ｂ    区画
４０、４２    交番電圧
【図１】
2004184615.tif 000003
【図２】
2004184615.tif 000004
【図３】
2004184615.tif 000005
【図４】
2004184615.tif 000006
【図５】
2004184615.tif 000007
【図６】
2004184615.tif 000008
【図７】
2004184615.tif 000009